(57)【要約】【課題】  剥離箇所に位置するタイルをコンクリート躯体側に固定する作業を容易にすることにより、補修コストを低減させる。【解決手段】  コンクリート躯体の表面にモルタルを介して張り付けられるタイルの剥落防止工法であって、隣接する４つのタイル１、１、１、１間に位置する目地３の部分に、モルタルを貫通してコンクリート躯体に達するピン用の孔を穿設し、このピン用の孔内に押えピン７を挿入して、押えピン７の頭部８を隣接するタイル１、１、１、１の表面間に係止させ、この状態で押えピン７を固着剤によりピン用の孔内に固着させる。１つ押えピン７によって４つのタイルをコンクリート躯体側に固定することができるので、補修コストを大幅に低減させることができる。【選択図】    図１
2005076223.tif 000002
【特許請求の範囲】
【請求項１】
コンクリート躯体の表面にモルタルを介して張り付けられるタイルの剥落防止工法であって、隣接するタイル間に位置する目地の部分に、モルタルを貫通してコンクリート躯体に達するピン用の孔を穿設し、該ピン用の孔内に押えピンを挿入して、該押えピンの頭部を隣接するタイルの表面間に係止させ、この状態で該押えピンを固着剤によりピン用の孔内に固着させることを特徴とするタイルの剥落防止工法。
【請求項２】
前記各タイルは周縁部に段部を有するものであって、隣接するタイルの段部の表面間に前記押えピンの頭部を係止させた請求項１に記載のタイルの剥落防止工法。
【請求項３】
コンクリート躯体の表面にモルタルを介して張り付けられるタイルの剥落防止工法であって、隣接するタイルの表面間に押え板を係止させ、この状態で押え板を固着剤を介して隣接するタイル間の目地の部分に一体に接合することを特徴とするタイルの剥落防止工法。
【発明の詳細な説明】
【技術分野】
【０００１】
本発明は、マンション、オフィスビル等の建築物の外壁の表面に施工されるタイルの剥落防止工法に関するものである。
【背景技術】
【０００２】
マンション、オフィスビル等の建築物の外壁の一例として、コンクリート躯体の表面にモルタルを介してタイルを張り付けたものが知られている。このような構成の外壁は、経時的な要因等によってコンクリート躯体とモルタルとの間、又はモルタルとタイルとの間に剥離が発生した場合に、各種の工法によって剥離箇所を補修し、タイルの剥落を防止している。
【０００３】
従来、タイルの剥落を防止する工法として、剥離箇所に対応する部分にタイルの表面側からコンクリート躯体に達するピン用の孔をドリル等によって穿設し、このピン用の孔内に樹脂系の接着剤を充填し、この後にピン用の孔内にアンカーピンを挿入して所定の時間保持することにより接着剤を固化させてアンカーピンを固着させるように構成した工法が知られている。
【０００４】
しかし、このような工法にあっては、ドリルによりピン用の孔の穿設時、又はアンカーピンの挿入時にタイルが割れる虞がある。また、剥離箇所に位置するタイルの枚数分だけのピン用の孔の穿設作業、接着剤の充填作業、アンカーピンの挿入作業等が必要になるため、剥離箇所の補修に多大な労力と時間がかかり、補修コストが高くついてしまう。さらに、ピン用の孔内に接着剤を充填した場合に、その接着剤の一部が剥離箇所に回り込んでしまうため、接着剤の無駄が生じてしまい、これによっても補修コストが高くついてしまう。
【特許文献１】特開２００１−２４８３１４号公報
【発明の開示】
【発明が解決しようとする課題】
【０００５】
本発明は、上記のような従来の問題に鑑みなされたものであって、作業中にタイルに割れが生じる虞が全くなく、また、剥離箇所の補修に要する労力と時間を大幅に削減することができて、補修コストを大幅に低減させることができ、さらに、接着剤の無駄が生じるようなことがなく、補修コストを低減させることができる剥離防止工法を提供することを目的とするものである。
【課題を解決するための手段】
【０００６】
本発明は、上記のような課題を解決するために、以下のような手段を採用している。  
すなわち、請求項１に係る発明は、コンクリート躯体の表面にモルタルを介して張り付けられるタイルの剥落防止工法であって、隣接するタイル間に位置する目地の部分に、モルタルを貫通してコンクリート躯体に達するピン用の孔を穿設し、該ピン用の孔内に押えピンを挿入して、該押えピンの頭部を隣接するタイルの表面間に係止させ、この状態で該押えピンを固着剤によりピン用の孔内に固着させることを特徴とする。  
本発明によるタイルの剥落防止工法によれば、隣接するタイル間の目地の部分に穿設したピン用の孔内に固着剤によって押えピンを固着させることにより、隣接するタイルの表面間に押えピンの頭部が係止され、隣接するタイルが押えピンを介してコンクリート躯体側に固定されることになる。
【０００７】
請求項２に係る発明は、請求項１に記載のタイルの剥落防止工法であって、前記各タイルは周縁部に段部を有するものであって、隣接するタイルの段部の表面間に前記押えピンの頭部を係止させたことを特徴とする。  
本発明によるタイルの剥落防止工法によれば、隣接するタイル間の目地の部分に穿設したピン用の孔内に固着剤によって押えピンを固着させることにより、隣接するタイルの段部の表面間に押えピンの頭部が係止され、隣接するタイルが押えピンを介してコンクリート躯体側に固定されることになる。
【０００８】
請求項３に係る発明は、コンクリート躯体の表面にモルタルを介して張り付けられるタイルのタイルの剥落防止工法であって、隣接するタイルの表面間に押え板を係止させ、この状態で押え板を接合剤を介して隣接するタイル間の目地の部分に一体に接合することを特徴とする。  
本発明によるタイルの剥落防止工法によれば、隣接するタイルの表面間に係止させた押え板を、隣接するタイル間の目地の部分に固着剤を介して一体に接合することにより、押え板を介して隣接するタイルがコンクリート躯体側に固定されることになる。
【発明の効果】
【０００９】
以上説明したように、本発明の請求項１に記載のタイルの剥落防止工法によれば、隣接するタイル間の目地の部分に穿設したピン用の孔内に押えピンを固着剤によって固着させることにより、押えピンの頭部が隣接するタイルの表面間に係止されて、隣接するタイルがコンクリート躯体側に固定されることになる。  
従って、１本の押えピンによって複数のタイルをコンクリート躯体側に固定することができるので、剥離箇所を補修する際に要する労力、時間を大幅に削減することができ、補修コストを大幅に低減させることができる。  
また、タイルに直接にピン用の孔を穿設しているわけではなく、タイル間に位置する目地の部分にピン用の孔を穿設していので、ピン用の孔を穿設する際にタイルが割れる心配は全くない。  
さらに、隣接するタイル間の目地の部分にコンクリート躯体に達するピン用の孔を穿設しているので、ピン用の孔内に固着剤を充填させても、その固着剤が剥離箇所に回り込むようなことはなく、固着剤の無駄を防止することができ、これによっても補修コストを低減させることができる。
【００１０】
また、本発明の請求項２に記載のタイルの剥落防止工法によれば、隣接するタイル間の目地の部分に穿設したピン用の孔内に押えピンを固着剤によって固着させることにより、隣接するタイルの段部の表面間に押えピンの頭部が係止されて、隣接するタイルが押えピンを介してコンクリート躯体側に固定されることになる。  
従って、請求項１に記載のタイルの剥落防止工法と同様に、１本の押えピンによって複数のタイルをコンクリート躯体側に固定することができるので、剥離箇所を補修する際に要する労力、時間を大幅に削減することができ、補修コストを大幅に低減させることができる。  
また、タイルに直接にピン用の孔を穿設しているわけではなく、タイル間に位置する目地の部分にピン用の孔を穿設していので、ピン用の孔を穿設する際にタイルが割れる心配は全くない。  
さらに、隣接するタイル間の目地の部分にコンクリート躯体に達するピン用の孔を穿設しているので、ピン用の孔内に固着剤を充填させても、その固着剤が剥離箇所に回り込むようなことはなく、固着剤の無駄を防止することができ、これによっても補修コストを低減させることができる。  
さらに、隣接するタイルの段部の表面間に押えピンの頭部を係止させているので、押えピンの頭部を隣接するタイル間に没入させることができ、見栄えを良くすることができる。
【００１１】
さらに、本発明の請求項３に記載のタイルの剥落防止工法によれば、隣接するタイルの表面間に係止させた押え板を、隣接するタイル間の目地の部分に固着剤を介して一体に接合することにより、押え板を介して隣接するタイルがコンクリート躯体側に固定されることになる。  
従って、１枚の押え板によって複数のタイルをコンクリート躯体側に固定することができるので、剥離箇所を補修する際に要する労力、時間を大幅に削減することができ、補修コストを大幅に低減させることができる。  
また、タイルに直接にピン用の孔を穿設しているわけではないので、押え板を設ける際にタイルが割れる心配は全くない。  
さらに、隣接するタイル間の目地の部分に固着剤を介して押え板を接合しているので、固着剤が剥離箇所に回り込むようなことはなく、固着剤の無駄を防止することができ、これによっても補修コストを低減させることができる。
【発明を実施するための最良の形態】
【００１２】
以下、図面を参照しつつ本発明の実施の形態について説明する。  
図１〜図６には、本発明によるタイルの剥落防止工法の第１の実施の形態が示されていて、このタイルの剥落防止工法は、マンション、オフィスビル等の建築物の外壁に施工されるタイルの剥落防止に適用したものである。
【００１３】
マンション、オフィスビル等の建物の外壁は、前述したように、経時的な要因等によってコンクリート躯体とモルタルとの間、又はモルタルとタイルとの間に剥離が発生した場合に、タイルがコンクリート躯体から剥落する事故に繋がる危険性があるため、剥離箇所を早急に補修してタイルの剥落を防止する必要がある。
【００１４】
本発明のタイルの剥落防止工法は、まず、図４に示すように、隣接するタイル１、１間に位置する目地３の部分に、コンクリートドリル等によってモルタル２を貫通してコンクリート躯体４に達するピン用の孔５を穿設する。
【００１５】
この場合、ピン用の孔５は、タイル１の配列のパターンによっても異なるが、図示の配列パターンでは、４つのタイル１、１、１、１の隣接する角部間に位置する目地３の部分、すなわち縦、横の目地３、３が交差する部分に穿設する。ピン用の孔５の径、深さは、後述する押えピン７に応じた値に設定する。但し、タイル１の割れを防止するために、外周面が隣接するタイル１、１の角部に接触しない径とする。
【００１６】
次に、図５に示すように、ピン用の孔５内に固着剤６を充填する。固着剤６としては、エポキシ樹脂、ウレタン樹脂等の樹脂系の接着剤等が挙げられる。但し、これらに限定することなく、後述する押えピン７をピン用の孔５内に固着できるものであれば良い。
【００１７】
次に、図６に示すように、固着剤６を充填したピン用の孔５内に押えピン７を挿入する。押えピン７は、金属、合成樹脂から形成されるものであって、図３に示すように、薄肉円板状の頭部８と、頭部８の下面中央部に一体に設けられる丸棒状の脚部９とから構成される。押えピン７の頭部８の径は、隣接する４つのタイル１、１、１、１の角部の表面側に係止可能な大きさとする。この実施の形態においては、目地３の幅５ｍｍに対して頭部８の径を２０ｍｍとしている。また、脚部９の長さは、モルタル２を貫通してコンクリート躯体４に所定の位置まで食い込む長さとする。なお、固着剤６との接合性を高めるために脚部９の周面にネジを螺設しても良い。
【００１８】
そして、押えピン７をピン用の孔５内に挿入した状態で所定の時間保持し、固着剤６を硬化させて押えピン７をピン用の孔５内に固着させ、押えピン７の頭部８を隣接する４つのタイル１、１、１、１の角部の表面側に係止させる。そして、このような作業を全ての剥離箇所について行なうことにより、図１及び図２に示すように、剥離箇所に位置するタイル１をコンクリート躯体４側に固定することができるものである。
【００１９】
上記のように構成したこの実施の形態によるタイルの剥落防止工法にあっては、４つのタイル１、１、１、１の隣接角部間に位置する目地３の部分に設けた押えピン７により、４つのタイル１、１、１、１をコンクリート躯体４側に固定することができるので、各タイル１をそれぞれコンクリート躯体４側に固定する必要がなくなる。従って、剥離箇所に位置するタイル１を固定する労力と時間を大幅に削減することができるので、剥離箇所の補修コストを大幅に低減させることができる。
【００２０】
また、ピン用の孔５を隣接するタイル１、１、１、１間に位置する目地３の部分に穿設しているので、ピン用の孔５の穿設時にタイル１が割れる心配は全くなく、補修作業が容易となる。
【００２１】
さらに、ピン用の孔５を目地３の部分に穿設しているので、ピン用の孔５内に充填した固着剤６が剥離箇所に回り込むようなことはなく、固着剤６の無駄をなくすることができ、これによっても補修コストを低減させることができる。
【００２２】
図７及び図８には、本発明によるタイルの剥落防止工法の第２の実施の形態が示されていて、このタイルの剥落防止工法は、周縁部に１段低い段部１ａを有するタイル１の補修に適用したものであって、その他の構成は前記第１の実施の形態に示すものと同様である。
【００２３】
すなわち、この実施の形態においては、隣接する４つのタイル１、１、１、１間に位置する目地３の部分にピン用の孔５を穿設し、このピン用の孔５内に固着剤６を充填し、この状態で十字状の頭部８を有する押えピン７の脚部９をピン用の孔５内に挿入し、固着剤６を硬化させることにより押えピン７をピン用の孔５内に固着させている。
【００２４】
そして、この実施の形態によるタイルの剥落防止工法にあっても、前記第１の実施の形態に示すものと同様の作用効果を奏する他に、押えピン７の十字状の頭部８が隣接するタイル１、１、１、１の段部１ａ、１ａ、１ａ、１ａの表面間に係止されることになるので、タイル１の表面から頭部８が突出するようなことはなく、見栄えを良くすることができるものである。
【００２５】
図９には、本発明による剥離防止工法の第３の実施の形態が示されていて、この剥離防止工法は、円板状の押え板１０を隣接する４つのタイル１、１、１、１の角部の表面上に位置し、押え板１０の周縁部を４つのタイル１、１、１、１の角部の表面側に係止させ、この状態で４つのタイル１、１、１、１の角部間に位置する目地３の部分に固着剤６を充填し、この固着剤を押え板１０とタイル１、１、１、１との間にも回り込ませ、所定の時間保持することによって固着剤６を硬化させて押え板１０固着させたものである。
【００２６】
そして、このように円板状の押え板１０を固着させることにより、押え板１０によって４つのタイル１、１、１、１がコンクリート躯体４側に固定され、タイル１、１、１、１の剥落が防止されるものである。
【００２７】
上記のように構成したこの実施の形態によるタイルの剥落防止工法にあっても、前記第１の実施の形態に示すものと同様に、１つの押え板１０によって４つのタイル１、１、１、１をコンクリート躯体４側に固定することができるので、剥離箇所に位置するタイル１をコンクリート躯体４側に固定する労力と時間を大幅に削減することができ、剥離箇所の補修コストを大幅に低減させることができる。
【００２８】
また、押え板１０を固着剤６によって目地３の部分に接合しているので、作業中にタイルが割れる心配は全くなく、補修作業が容易となる。
【００２９】
さらに、目地３の部分に固着剤６を充填しているので、固着剤６が剥離箇所に回り込むようなことはなく、固着剤６の無駄をなくすることができ、これによっても補修コストを低減させることができる。
【００３０】
なお、図１０に示すように、押え板１０を四角板状に形成するとともに、上面側に位置決め用の線を描いて、設置する場合の位置決めを容易にしても良い。
【図面の簡単な説明】
【００３１】
【図１】本発明によるタイルの剥落防止工法の第１の実施の形態を示した部分平面図であって、タイルを押えピンで固定した状態を示した説明図である。
【図２】図１の部分拡大図である。
【図３】押えピンを示した斜視図である。
【図４】第１の実施の形態のタイルの剥落防止工法を示した説明図であって、ピン用の孔を穿設した状態を示した説明図である。
【図５】第１の実施の形態のタイルの剥落防止工法を示した説明図であって、ピン用の孔内に固着剤を充填した状態を示した説明図である。
【図６】第１の実施の形態のタイルの剥落防止工法を示した説明図であって、ピン用の孔内に押えピンを挿入した状態を示した説明図である。
【図７】本発明によるタイルの剥落防止工法の第２の実施の形態を示した部分平面図である。
【図８】図７の部分拡大断面図である。
【図９】本発明によるタイルの剥落防止工法の第３の実施の形態を示した部分拡大断面図である。
【図１０】第３の実施の形態の変形例である。
【符号の説明】
【００３２】
１  タイル
１ａ  段部
２  モルタル
３  目地
４  コンクリート躯体
５  ピン用の孔
６  固着剤
７  押えピン
８  頭部
９  脚部
１０  押え板
【図１】
2005076223.tif 000003
【図２】
2005076223.tif 000004
【図３】
2005076223.tif 000005
【図４】
2005076223.tif 000006
【図５】
2005076223.tif 000007
【図６】
2005076223.tif 000008
【図７】
2005076223.tif 000009
【図８】
2005076223.tif 000010
【図９】
2005076223.tif 000011
【図１０】
2005076223.tif 000012